(57)【要約】      （修正有）【課題】簡単に組み立てることができて、発光ユニットの個数に見合う最良の照度が得られる高照度照明器具を提供する。【解決手段】高照度照明器具１は、ソケット１１と、照明プレート１４と、照明カバー１２とを含む。照明プレート１４は、本体１４１及び複数の発光ユニット１４２を含み、本体１４１がソケット１１に設置され、発光ユニット１４２が本体１４１上に配列されるよう設けられており、発光ユニット１４２は、本体１４１の短手方向に第１アレイＬ１と第２アレイＬ２を設置するよう配列されており、第１アレイＬ１及び第２アレイＬ２上の発光ユニット１４２は本体１４１の長手方向に間隔をおいて設けられており、且つ、第１アレイＬ１と第２アレイＬ２の距離は１５〜２０ｍｍの範囲であり、照明カバー１２はソケット１１を覆い被せている。【選択図】図１
0003219668.tif 000002
【実用新案登録請求の範囲】
【請求項１】
ソケットと、
本体及び複数の発光ユニットを含み、前記本体が前記ソケットに設置され、前記発光ユニットが前記本体上に配列されるよう設けられており、前記発光ユニットは、本体の短手方向に第１アレイと第２アレイを設置するよう配列されており、第１アレイ及び第２アレイ上の発光ユニットは本体の長手方向に間隔を隔ててそれぞれ設けられており、且つ、前記第１アレイと前記第２アレイの距離は１５〜２０ｍｍの範囲である照明プレートと、
前記ソケットを覆い被せる照明カバーと、を含むことを特徴とする高照度照明器具。
【請求項２】
前記第１アレイと前記第２アレイの距離は１６ｍｍであることを特徴とする請求項１に記載の高照度照明器具。
【請求項３】
前記第１アレイ上に配置された隣接する発光ユニットの距離は４．６〜６ｍｍの範囲であり、前記第２アレイ上に配置された隣接する発光ユニットの距離は４．６〜６ｍｍの範囲であることを特徴とする請求項１に記載の高照度照明器具。
【請求項４】
前記照明カバーは長尺構造をなすとともに天井プレートを含み、
前記天井プレートの側方断面は円弧状をなしており、
前記円弧状の凹面は前記ソケットに面しており、
前記円弧状の凹面の中心線と、前記本体の長手方向に対し平行な中心線との距離は２４〜２８ｍｍの範囲であることを特徴とする請求項１に記載の高照度照明器具。
【請求項５】
前記ソケットは、長尺構造をなすとともに、基板、２つの接続プレート及び２つのスライド溝を含み、
前記接続プレートは、前記基板における対向する両側に接続されて前記基板と凹溝を形成し、前記照明プレートが前記凹溝内に設けられることを特徴とする請求項１に記載の高照度照明器具。
【請求項６】
前記スライド溝は、前記接続プレートの外側にそれぞれ接続されており、
前記スライド溝は、２つの端部開口とスライドレールを含み、
前記スライドレールは前記端部開口の間に位置することを特徴とする請求項５に記載の高照度照明器具。
【請求項７】
前記スライド溝は、前記スライド溝の外側底面に位置する第１延伸プレートを含むことを特徴とする請求項５に記載の高照度照明器具。
【請求項８】
前記照明カバーは、更に２つの突出部を含み、
前記突出部は、前記天井プレートの両側にそれぞれ接続されており、
前記スライドレールの側方断面は、第１段差状をなしており、
前記突出部の側方断面は、前記第１段差状に対応する第２段差状をなしていることを特徴とする請求項５に記載の高照度照明器具。
【請求項９】
前記照明カバーは、前記突出部と前記天井プレートとの接続箇所に設けられる第２延伸プレートを更に含み、
前記照明カバーが前記ソケットに被せられると、前記第２延伸プレートは前記スライド溝の外側に位置し、前記２つの延伸プレート間の距離は７２〜７６ｍｍの範囲であることを特徴とする請求項８に記載の高照度照明器具。
【請求項１０】
前記ソケットはアルミ型材で構成され、前記照明カバーはプラスチック材料で構成されることを特徴とする請求項１に記載の高照度照明器具。
【請求項１１】
前記接続プレートと前記基板は異なる平面に位置し、前記接続プレートは前記基板の中心線に対して鏡像対称であることを特徴とする請求項１に記載の高照度照明器具。
【考案の詳細な説明】
【技術分野】
【０００１】
本考案は、照明器具に関し、特に、簡単に組み立てることができて照度が優れた照明器具に関する。
【背景技術】
【０００２】
日常生活における照明は、必要不可欠な製品である。従来技術では、照明器具を組み立てるときには、ネジ又は他の鉤止めによって組み立てられて固定されているが、このような組み立ては不便で時間がかかるし、設計構造も労働集約型である。また、照明器具の組み立ての容易さに加えて、照明器具の照度もユーザーにとって重要な選択のポイントである。したがって、組み立てが容易で照度が高い照明器具を設計することは、当業者が検討すべき課題である。
【０００３】
従来の照明器具の固定構造を開示する文献として下記の特許文献１がある。特許文献１に開示の照明器具の固定構造は、長手方向両端に設けられた固定用ステイに形成された切欠き溝に挿通する締結具によって照明器具を固定する固定構造であって、前記固定用ステイに、互いに直交する向きに開口する切欠き溝をそれぞれ形成したことを特徴とする。
【先行技術文献】
【特許文献】
【０００４】
【特許文献１】特開２０１４−１３７９８６号公報
【考案の概要】
【考案が解決しようとする課題】
【０００５】
しかしながら、従来の照明器具の固定構造は必ずしも取り付けが容易とは言えなかった。また照明器具の照度の面でもユーザーのニーズを満足できるものではなかった。
【課題を解決するための手段】
【０００６】
本考案は上記の問題を鑑みてなされたものであり、ソケットと、照明プレートと、照明カバーとを含むことを特徴とする高照度照明器具を提供する。照明プレートは、本体及び複数の発光ユニットを含み、前記本体が前記ソケットに設置され、前記発光ユニットが前記本体上に配列されるよう設けられており、前記発光ユニットは、本体の短手方向に第１アレイと第２アレイを設置するよう配列されており、第１アレイ及び第２アレイ上の発光ユニットは本体の長手方向に間隔を置いて設けられており、且つ、前記第１アレイと第２アレイの距離は１５〜２０ｍｍの範囲である。照明カバーがソケットを覆うようにしている。
【０００７】
上記高照度照明器具の好ましい実施形態において、前記第１アレイと前記第２アレイの距離は１６ｍｍである。
【０００８】
上記高照度照明器具の好ましい実施形態において、前記第１アレイ上で隣接する発光ユニットの距離は４．６〜６ｍｍの範囲であり、前記第２アレイ上で隣接する発光ユニットの距離は４．６〜６ｍｍの範囲である。
【０００９】
上記高照度照明器具の好ましい実施形態において、前記照明カバーは長尺構造をなすとともに天井プレートを含み、前記天井プレートの側方断面は円弧状をなしており、前記円弧状の凹面は前記ソケットに面しており、前記円弧状の凹面の中心線と、前記本体の長手方向に対し平行な中心線との距離は２４〜２８ｍｍの範囲である。
【００１０】
上記高照度照明器具の好ましい実施形態において、前記ソケットは長尺構造をなすとともに、基板、２つの接続プレート及び２つのスライド溝を含み、前記接続プレートは、前記基板における対向する両側に接続されて前記基板と凹溝を形成し、前記照明プレートが前記凹溝内に設けられる。
【００１１】
上記高照度照明器具の好ましい実施形態において、前記スライド溝は前記接続プレートの外側にそれぞれ接続されており、前記スライド溝は２つの端部開口とスライドレールを含み、前記スライドレールは前記端部開口の間に位置する。
【００１２】
上記高照度照明器具の好ましい実施形態において、前記スライド溝は、前記スライド溝の外側底面に位置する第１延伸プレートを含む。
【００１３】
上記高照度照明器具の好ましい実施形態において、前記照明カバーは更に２つの突出部を含み、前記突出部は前記天井プレートの両側にそれぞれ接続されており、前記スライドレールの側方断面は第１段差状をなしており、前記突出部の側方断面は前記第１段差状に対応する第２段差状をなしている。
【００１４】
上記高照度照明器具の好ましい実施形態において、前記照明カバーは、前記突出部と前記天井プレートとの接続箇所に設けられる第２延伸プレートを更に含み、前記照明カバーが前記ソケットに被せられると、前記第２延伸プレートは前記スライド溝の外側に位置し、前記２つの延伸プレート間の距離は７２〜７６ｍｍの範囲である。
【００１５】
上記高照度照明器具の好ましい実施形態において、前記ソケットはアルミ型材からなり、前記照明カバーは可塑性材料からなる。
【００１６】
上記高照度照明器具の好ましい実施形態において、前記接続プレートと前記基板は異なる平面に位置し、前記接続プレートは前記基板の中心線に対して鏡像対称である。
【考案の効果】
【００１７】
要するに、本考案の高照度照明器具によれば、上記の構造設計で発光ユニットを配置されるので、発光ユニットの個数に見合う最良の照度を達成することができる。また、照明カバーの突出部をソケットのスライド溝に篏合することで両者を取り付けることができ、ユーザーは照明装置を迅速に組み立てることができ、従来の課題を解決することができる。
【図面の簡単な説明】
【００１８】
【図１】本考案の実施形態の高照度照明器具の分解斜視図である。
【図２】本考案の実施形態の高照度照明器具の斜視図である。
【図３】本考案の実施形態の高照度照明器具の側面図である。
【考案を実施するための形態】
【００１９】
本考案の詳細の特徴及び利点は、本発明の以下の実施形態において詳細に説明され、この分野における通常の知識を有する者であれば、この考案に関連する目的及び利点を容易に理解することができる。
【００２０】
本考案の目的及び効果並びに技術的内容、技術的な解決方法及び構造的特徴については、特定の実施形態及び添付図面を参照して以下に詳細に説明される。
【００２１】
図１〜図３はそれぞれ、本考案の一実施形態の高照度照明器具の分解斜視図、斜視図及び複合側面図である。
【００２２】
本実施形態の高照度照明器具は、ソケット１１と、照明プレート１４と、照明カバー１２とを備えている。ソケット１１は、長尺構造をなすとともに、基板１１１と、２つの接続プレート１１２及び２つのスライド溝１１４を含む。接続プレート１１２は、基板１１１における対向する両側に接続されて基板１１１との間に凹溝１３を形成している。スライド溝１１４は、接続プレート１１２の外側にそれぞれ接続されており、２つの端部開口１１４１とスライドレール１１４２とを含み、前記スライドレール１１４２は端部開口１１４１の間に位置している。
【００２３】
照明プレート１４は、本体１４１及び複数の発光ユニット１４２を備えている。本体１４１がソケット１１に設置されており、照明プレート１４（本体１４１）が凹溝１３内に配置され、発光ユニット１４２が本体１４１上に配列されるよう設けられている。発光ユニット１４２は、発光ダイオード（ＬＥＤ）である。
【００２４】
照明カバー１２は、長尺構造をなすとともに天井プレート１２１と２つの突出部１２２とを備えている。突出部１２２は天井プレート１２１の両側にそれぞれ接続されている。突出部１２２の一端が対応する端部開口１１４１からスライド溝１１４に嵌め込まれて、突出部１２２はスライドレール１１４２上を摺動することにより照明カバー１２がソケット１１に覆い被せられる。
【００２５】
本実施形態では、発光ユニット１４２は、本体１４１の短手方向に第１アレイＬ１と第２アレイＬ２を設置するよう配列されており、第１アレイＬ１及び第２アレイＬ２上の発光ユニット１４２は本体１４１の長手方向に間隔を隔てて配列されている。第１アレイＬ１と第２アレイＬ２の距離は１５〜２０ｍｍの範囲であることが好ましく、本実施形態では、第１アレイＬ１と第２アレイＬ２の距離は１６ｍｍである。
【００２６】
また、別の一実施形態において、第１アレイＬ１上で隣接する発光ユニット１４２の距離は４．６〜６ｍｍであり、第２アレイＬ２上で隣接する発光ユニット１４２の距離は４．６〜６ｍｍの範囲である。発光ユニット１４２、本体１４１及び基板１１２の大きさ及び長さは、上記に限定されるものではなく、つまり、発光ユニット１４２の個数は、照明器具１の長さに応じて適宜設定する必要があり、照明器具１の大きさが異なれば発光ユニット１４２の最適な個数も異なる。
【００２７】
また、照明カバー１２（天井プレート１２１）の側方断面は円弧状をなしており、前記円弧状の凹面は前記ソケットに面している。円弧状の凹面の中心線と、本体１４１の長手方向に対し平行な中心線との距離は２４〜２８ｍｍの範囲であることが好ましい。本実施形態では、円弧状の凹面の中心線と、本体１４１の長手方向に対し平行な中心線との距離は２６．１ｍｍである。
【００２８】
一実施形態において、ソケット１１はアルミ型材で構成されている。また別の一実施形態において、照明カバー１２はプラスチック材料で構成されているが、これに限定されるものではなく、アルミ型材で形成されていてもよい。
【００２９】
図１及び図２に示す実施形態において、スライド溝１１４は、スライド溝１１４の外側底面に位置する第１延伸プレート１１４３を含む。２つのスライド溝１１４の外側壁面間の距離は７２．０６ｍｍである。照明カバー１２の円弧状の凹面の中心線と、第１延伸プレート１１４３の外側側壁との間の距離は２８．９ｍｍである。
【００３０】
またスライドレール１１４２の側方断面は第１段差状１１４２’をなしており、突出部１２２の側方断面は第１段差状１１４２’に対応する第２段差状１２２’をなしている。これによりスライドレール１１４２と突出部１２２とが密接に整合し、照明カバー１２とソケット１１とが摺動してしっかり結合されるようになっている。
【００３１】
本実施形態では、照明カバー１２は、突出部１２２と天井プレート１２１との接続箇所に設けられる第２延伸プレート１２３を更に含み、照明カバー１２がソケット１１に被せられると、第２延伸プレート１２３はスライド溝１１４の外側に位置し、２つの延伸プレート１１４３間の距離は７２〜７６ｍｍの範囲であり、本実施形態では、２枚の延長プレート１１４３の間隔は７４．９８ｍｍとされている（図３参照）。
【００３２】
また、本実施形態では、接続プレート１１２と基板１１１は異なる平面に位置し、接続プレート１１２は基板１１１の中心線に対して鏡像対称である。
【００３３】
本考案の高照度照明器具によれば、上記構造設計で発光ユニットを配置することにより、発光ユニットの個数に見合う最良の照度を達成することができ、照度、照度均一性及び暗部領域がいずれも良好である。また、照明カバーの突出部をソケットのスライド溝に篏合することで両者を取り付けることができるので、ユーザーは照明装置を迅速に組み立てることができ、従来の課題を解決することができる。
【００３４】
本考案の権利保護の範囲は、上記の本明細書に記載された実施形態のみに限定されるものではないことに留意すべきである。したがって、本考案の革新的な概念によれば、上述の技術は、本明細書に記載された実施形態のみに限られず、本明細書の内容及び図面から理解される内容に対して直接的又は間接的に修正又は変更を加えた均等の構造物にも適用されるべきものであり、本考案の解決策は、実用新案登録請求の範囲に含まれる限りにおいて他の関連技術の分野にも適用することができる。
【符号の説明】
【００３５】
１    照明器具
１１    ソケット
１１１    基板
１１２    接続プレート
１１４    スライド溝
１１４１    端部開口
１１４２    スライドレール
１１４２’  第１段差状
１１４３    第１延伸プレート
１２    照明カバー
１２１    天井プレート
１２２    突出部
１２２’    第２段差状
１２３    第２延伸プレート
１３    凹溝
１４    照明プレート
１４１    本体
１４２    発光ユニット
Ｌ１    第１アレイ
Ｌ２    第２アレイ
【図１】
0003219668.tif 000003
【図２】
0003219668.tif 000004
【図３】
0003219668.tif 000005
【手続補正書】
【提出日】平成30年11月10日(2018.11.10)
【手続補正１】
【補正対象書類名】実用新案登録請求の範囲
【補正対象項目名】請求項８
【補正方法】変更
【補正の内容】
【請求項８】
前記照明カバーは、更に２つの突出部を含み、
前記突出部は、天井プレートの両側にそれぞれ接続されており、
前記スライドレールの側方断面は、第１段差状をなしており、
前記突出部の側方断面は、前記第１段差状に対応する第２段差状をなしていることを特徴とする請求項６に記載の高照度照明器具。
【手続補正２】
【補正対象書類名】実用新案登録請求の範囲
【補正対象項目名】請求項１１
【補正方法】変更
【補正の内容】
【請求項１１】
前記接続プレートと前記基板は異なる平面に位置し、前記接続プレートは前記基板の中心線に対して鏡像対称であることを特徴とする請求項５に記載の高照度照明器具。